(57)【要約】【課題】意匠性を向上させること。【解決手段】化粧キャップ７は、化粧部材４の小口面４０を被覆する。この化粧キャップ７は、表面層と粘着剤を含む基材層とが積層された成形品によって構成されている。また、化粧キャップ７は、基材層を介して小口面４０に接着され、当該小口面４０を被覆する被覆部７１と、被覆部７１に対して化粧部材４の裏面５１２側に折曲可能に構成された折曲部７２とを備える。【選択図】図７
2020094338.tif 000002
【特許請求の範囲】
【請求項１】
化粧部材の小口面を被覆する化粧キャップであって、
表面層と粘着剤を含む基材層とが積層された成形品によって構成され、
前記基材層を介して前記小口面に接着され、当該小口面を被覆する被覆部と、
前記被覆部に対して前記化粧部材の裏面側に折曲可能に構成された折曲部とを備える
ことを特徴とする化粧キャップ。
【請求項２】
前記化粧部材は、
形材の表面に化粧シートが貼り付けられた構成を有し、
前記表面層は、
前記化粧シートと同一部材によって構成されている
ことを特徴とする請求項１に記載の化粧キャップ。
【請求項３】
前記形材は、
表面に前記化粧シートが貼り付けられた形材本体と、
前記形材本体の裏面から突出する突出部とを備え、
前記折曲部は、
前記基材層を介して前記突出部に接着される
ことを特徴とする請求項２に記載の化粧キャップ。
【請求項４】
前記形材は、
表面に前記化粧シートが貼り付けられた形材本体と、
前記形材本体の裏面から突出する突出部とを備え、
前記折曲部は、
前記基材層を介して前記被覆部及び前記形材本体の裏面にそれぞれ接着される
ことを特徴とする請求項２に記載の化粧キャップ。
【請求項５】
前記表面層と前記基材層との間には、
充填層が充填されている
ことを特徴とする請求項１〜４のいずれか１つに記載の化粧キャップ。
【請求項６】
面材の表面に取り付けられた化粧部材と、
前記化粧部材の小口面に取り付けられ、当該小口面を被覆する化粧キャップとを備え、
前記化粧キャップは、
請求項１〜５のいずれか１つに記載の化粧キャップである
ことを特徴とする建具。
【発明の詳細な説明】
【技術分野】
【０００１】
本発明は、化粧部材の小口面を被覆する化粧キャップ、及び当該化粧キャップを備えた建具に関する。
【背景技術】
【０００２】
従来、扉等の面材の表面に取り付けられた化粧部材の小口面に取り付けられ、当該小口面を被覆する化粧キャップが知られている（例えば、特許文献１参照）。
特許文献１に記載の化粧キャップは、化粧部材の断面形状に対応した外形形状を有する平板状の面部と、当該面部の裏面から突出し、化粧部材に設けられた嵌合受部に嵌合する嵌合突部とを備える。
【先行技術文献】
【特許文献】
【０００３】
【特許文献１】特許第４７６２６３１号公報
【発明の概要】
【発明が解決しようとする課題】
【０００４】
しかしながら、特許文献１に記載の化粧キャップは、化粧部材に設けられた嵌合受部に嵌合することで当該化粧部材に取り付けられる構造であるため、比較的に高い強度を有する硬質樹脂によって構成する必要がある。そして、硬質樹脂によって化粧キャップを構成した場合には、当該化粧キャップにおける外観の色合いを化粧部材における外観の色合いに揃えることが難しく、意匠性を向上させることが難しい、という問題がある。
【０００５】
本発明は、上記実情に鑑みて、意匠性を向上させることができる化粧キャップ及び建具を提供することを目的とする。
【課題を解決するための手段】
【０００６】
上記目的を達成するため、本発明に係る化粧キャップは、化粧部材の小口面を被覆する化粧キャップであって、表面層と粘着剤を含む基材層とが積層された成形品によって構成され、前記基材層を介して前記小口面に接着され、当該小口面を被覆する被覆部と、前記被覆部に対して前記化粧部材の裏面側に折曲可能に構成された折曲部とを備えることを特徴とする。
【発明の効果】
【０００７】
本発明に係る化粧キャップ及び建具によれば、意匠性を向上させることができる、という効果を奏する。
【図面の簡単な説明】
【０００８】
【図１】実施の形態１に係る建具を室外側から見た図である。
【図２】建具の縦断面図である。
【図３】建具の横断面図である。
【図４】図３の一部を拡大した図であって、化粧部材を示す断面図である。
【図５】化粧キャップを示す図である。
【図６】化粧キャップを示す図である。
【図７】化粧部材に対して化粧キャップが取り付けられた状態を示す斜視図である。
【図８】実施の形態２に係る化粧キャップを示す斜視図である。
【図９】化粧部材に対して化粧キャップが取り付けられた状態を示す斜視図である。
【発明を実施するための形態】
【０００９】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１０】
（実施の形態１）
〔建具の概略構成〕
図１は、本実施の形態１に係る建具１を室外側から見た図である。図２は、建具１の縦断面図である。図３は、建具１の横断面図である。
なお、以下で記載する「見込み方向」は、建具１の奥行きに沿った方向（図２及び図３の矢印Ａｒの方向）である。見込み方向に沿った平面については、見込み面と称し、見込み方向に直交する平面については、見付け面と称する場合がある。
本実施の形態１では、建具１として、玄関に用いられるドア２と、当該ドア２を回動自在に支持する枠体３とを備えた建具を例に挙げて説明する。
【００１１】
枠体３は、上枠３１、下枠３２、戸先側縦枠３３、及び吊元側縦枠３４を四周枠組みすることによって構成され、建物の内外を連通する開口部Ｏｐ１を形成する。
ドア２は、本発明に係る面材に相当する。このドア２は、複数のヒンジＨｉを用いて枠体３（吊元側縦枠３４）に連結されている。これにより、ドア２は、枠体３に対して回動可能に支持され、当該枠体３にて形成された開口部Ｏｐ１を開閉する。
ここで、ドア２において、室外側の表面には、図１中、上下方向にそれぞれ延在し、図１中、左右方向に並列された複数（本実施の形態１では５つ）の化粧部材４が取り付けられている。なお、複数の化粧部材４は、同一の構成を有する。以下、化粧部材４の構成について説明する。
【００１２】
〔化粧部材の構成〕
図４は、図３の一部を拡大した図であって、化粧部材４を示す断面図である。
化粧部材４は、形材５の表面に化粧シート６が貼り付けられた構成を有する。なお、図４では、説明の便宜上、化粧シート６を一点鎖線によって表現している。
形材５は、アルミニウム等の金属製の押出形材によって構成され、図１中、上下方向の全長に亘って略同一の断面形状を有する。この形材５は、形材本体５１と、複数の突出部５２とを備える。
【００１３】
形材本体５１は、図１中、上下方向に沿って延在する平板である。そして、形材本体５１の表面５１１（室外側の面）には、化粧シート６が貼り付けられている。
複数の突出部５２は、形材本体５１の裏面５１２（室内側の面）からそれぞれ突出した部分である。そして、複数の突出部５２は、一対の第１の突出部５３と、一対の第２の突出部５４とを備える。
一対の第１の突出部５３は、図４中、左右方向（図１中、左右方向）の中央部分にそれぞれ位置し、突出方向の先端部分が互いに離間する方向にそれぞれ屈曲している。そして、当該一対の第１の突出部５３は、室内側に向けてそれぞれ臨み、表面５１１及び裏面５１２にそれぞれ平行となる同一平面上に位置する第１の貼り付け面５３１をそれぞれ有する。これら第１の貼り付け面５３１の一部には、両面テープＴＰが貼り付けられている。そして、化粧部材４は、当該両面テープＴＰを介して、ドア２の室外側の表面に貼り付けられる。
【００１４】
一対の第２の突出部５４は、図４中、左右方向の両端にそれぞれ位置する。そして、一対の第２の突出部５４は、室内側に向けてそれぞれ臨み、表面５１１及び裏面５１２にそれぞれ平行となる同一平面上に位置する第２の貼り付け面５４１をそれぞれ有する。これら第２の貼り付け面５４１は、第１の貼り付け面５３１に対して、室外側にオフセットした位置に位置する。
【００１５】
化粧シート６は、樹脂材料によって構成されたラミネートシートであり、化粧部材４における外観の色合いを構成する部分である。当該外観の色合いとしては、例えば、木目柄等を例示することができる。
ここで、化粧部材４（形材５）の小口面４０（図７（ｂ）参照）には、当該小口面４０を被覆する化粧キャップ７（図５〜図７参照）が取り付けられている。以下、化粧キャップ７の構成について説明する。
【００１６】
〔化粧キャップの構成〕
図５及び図６は、化粧キャップ７を示す図である。具体的に、図５（ａ）は、化粧キャップ７を化粧層ＬＡ１側から見た斜視図である。図５（ｂ）は、化粧キャップ７を基材層ＬＡ４側から見た斜視図である。図６は、化粧キャップ７の長手方向に直交するとともに折曲部７２を通る平面によって化粧キャップ７を切断した断面を模式的に示す図である。図７は、化粧部材４に対して化粧キャップ７が取り付けられた状態を示す斜視図である。具体的に、図７（ａ）では、化粧部材４に対して化粧キャップ７が取り付けられた状態を図５（ａ）と同一の方向から見ている。図７（ｂ）では、化粧部材４に対して化粧キャップ７が取り付けられた状態を図５（ｂ）と同一の方向から見ている。
【００１７】
化粧キャップ７は、表面側（図６中、上方側）から化粧層ＬＡ１、中間層ＬＡ２、充填層ＬＡ３、及び基材層ＬＡ４が積層された成形品によって構成されている。
化粧層ＬＡ１は、本発明に係る表面層に相当する。本実施の形態１では、化粧層ＬＡ１は、化粧シート６と同一部材によって構成されている。すなわち、化粧キャップ７は、化粧部材４と同一の外観の色合い（例えば、木目柄等）を有する。
中間層ＬＡ２は、例えば、ＡＢＳ（アクリロニトリル−ブタジエン−スチレン）樹脂によって構成されている。なお、中間層ＬＡ２としては、ＡＢＳ樹脂に限らず、アクリル樹脂、メタクリル樹脂、ポリエステル樹脂、ポリカーボネート樹脂、塩化ビニル樹脂、ポリオレフィン樹脂、ポリスチレン樹脂、ポリアミド樹脂等の他の熱可塑性樹脂によって構成しても構わない。また、中間層ＬＡ２は、着色剤、フィラー、難燃剤、紫外線吸収剤、酸化防止剤等の材料を含んでも構わない。
ここで、化粧層ＬＡ１及び中間層ＬＡ２において、図６中、左側の部分は、上方に向けて膨出した凸状に形成されている。そして、中間層ＬＡ２と基材層ＬＡ４との間には、空間ＳＰが形成されている。
【００１８】
充填層ＬＡ３は、例えば、ウレタン樹脂によって構成されており、空間ＳＰに充填されている。なお、充填層ＬＡ３としては、ウレタン樹脂に限らず、エポキシ樹脂、シリコーン樹脂、アクリル樹脂、メタクリル樹脂等の他の樹脂材料によって構成しても構わない。また、充填層ＬＡ３は、着色剤、無機フィラー、難燃剤、硬化開始剤、硬化触媒、酸化防止剤等の材料を含んでも構わない。
【００１９】
基材層ＬＡ４は、粘着剤を含んでいれば、その材質は特に制限されない。例えば、基材層ＬＡ４を粘着剤のみによって構成しても構わない。また、例えば、基材層ＬＡ４を粘着剤と他の成分とによって構成しても構わない。さらに、例えば、基材層ＬＡ４を、粘着剤を含む層と粘着剤を含まない層との組み合わせによって構成しても構わない。
なお、粘着剤としては、その種類は特に制限されず、アクリル系粘着剤、ウレタン系粘着剤等を例示することができる。また、基材層ＬＡ４は、粘着付与剤、着色剤、フィラー、難燃剤、酸化防止剤等の材料を含んでも構わない。さらに、基材層ＬＡ４は、１層のみであっても、２層以上の組み合わせであっても構わない。ここでは、化粧キャップ７を化粧部材４に貼り付ける際にも除去されない部分を基材層ＬＡ４と称し、剥離フィルム等の化粧部材４に貼り付ける際に除去される部材は基材層ＬＡ４には含めていない。
【００２０】
そして、化粧キャップ７は、被覆部７１と、複数の折曲部７２とを備える。
被覆部７１は、図６において、空間ＳＰを有する左側の部分に相当する。すなわち、被覆部７１は、化粧層ＬＡ１、中間層ＬＡ２、充填層ＬＡ３、及び基材層ＬＡ４が積層された構成を有する。この被覆部７１は、図６の紙面に直交する方向（図５の左右方向）に沿って直線状に延在する長尺形状を有する。また、被覆部７１において、長手方向の両端部分は、幅寸法が他の部分に対して狭く設定されている。
そして、被覆部７１は、基材層ＬＡ４を介して化粧部材４の小口面４０に接着され、当該小口面４０を被覆する。この状態では、被覆部７１において、室外側の側面７１ａは、化粧部材４における室外側の表面と略面一となる。また、被覆部７１の室内側の側面７１ｂにおいて、長手方向の中央部分７１ｃは、化粧部材４における第１の貼り付け面５３１と略面一となる。さらに、側面７１ｂにおいて、長手方向の両端部分７１ｄは、化粧部材４における第２の貼り付け面５４１と略面一となる。
【００２１】
複数の折曲部７２は、図６において、空間ＳＰを有しない右側の部分に相当する。すなわち、複数の折曲部７２は、化粧層ＬＡ１、中間層ＬＡ２、及び基材層ＬＡ４が積層された構成をそれぞれ有する。そして、複数の折曲部７２は、一対の第１の折曲部７３と、一対の第２の折曲部７４とを備える。
一対の第１の折曲部７３は、被覆部７１の室内側の側面７１ｂにおいて、長手方向の中央部分７１ｃにそれぞれ設けられている。そして、当該一対の第１の折曲部７３は、その基端部分において化粧部材４の裏面５１２側に略９０°折り曲げられ、基材層ＬＡ４を介して化粧部材４の一対の第１の貼り付け面５３１にそれぞれ接着される。
一対の第２の折曲部７４は、被覆部７１の室内側の側面７１ｂにおいて、長手方向の両端部分７１ｄにそれぞれ設けられている。そして、当該一対の第２の折曲部７４は、その基端部分において化粧部材４の裏面５１２側に略９０°折り曲げられ、基材層ＬＡ４を介して化粧部材４の一対の第２の貼り付け面５４１にそれぞれ接着される。
【００２２】
（実施の形態２）
次に、本実施の形態２について説明する。
以下の説明では、実施の形態１と同様の構成には同一符号を付し、その詳細な説明は省略または簡略化する。
図８は、本実施の形態２に係る化粧キャップ７Ａを示す斜視図である。具体的に、図８（ａ）は、図５（ａ）に対応した図である。図８（ｂ）は、図５（ｂ）に対応した図である。図９は、化粧部材４に対して化粧キャップ７Ａが取り付けられた状態を示す斜視図である。具体的に、図９（ａ）は、図７（ａ）に対応した図である。図９（ｂ）は、図７（ｂ）に対応した図である。
本実施の形態２では、化粧キャップ７とは異なる化粧キャップ７Ａを採用している。
【００２３】
化粧キャップ７Ａでは、上述した実施の形態１で説明した化粧キャップ７に対して、複数の折曲部７２を設ける位置を変更している。なお、本実施の形態２では、説明の便宜上、折曲部７２を折曲部７２Ａと記載する。
複数（本実施の形態２では、３つ）の折曲部７２Ａは、被覆部７１の室内側の側面７１ｂにおいて、第１，第２の貼り付け面５３１，５４１に対して、図９中、左右方向にずれた位置にそれぞれ設けられている。そして、複数の折曲部７２Ａは、その基端部分において化粧部材４の裏面５１２側に略１８０°折り曲げられるとともに、その先端部分が当該裏面５１２に沿うように略９０°折り曲げられる。この状態において、複数の折曲部７２Ａは、基材層ＬＡ４を介して、被覆部７１及び裏面５１２にそれぞれ接着される。
【００２４】
（その他の実施の形態）
ここまで、本発明を実施するための形態を説明してきたが、本発明は上述した実施の形態１，２によってのみ限定されるべきものではない。
上述した実施の形態１，２では、本発明に係る化粧キャップとして、ドア２に取り付けられる化粧部材４の小口面４０を被覆する化粧キャップ７，７Ａを例示したが、これに限らず、ドア以外の他の部材に取り付けられる化粧部材の小口面を被覆する化粧キャップとしても構わない。
上述した実施の形態１，２において、化粧層ＬＡ１を省略した化粧キャップを採用しても構わない。この場合には、当該化粧キャップは、表面側から中間層ＬＡ２、充填層ＬＡ３、及び基材層ＬＡ４が積層された成形品によって構成されることとなる。そして、中間層ＬＡ２は、本発明に係る表面層に相当する。
【００２５】
本発明に係る化粧キャップは、化粧部材の小口面を被覆する化粧キャップであって、表面層と粘着剤を含む基材層とが積層された成形品によって構成され、前記基材層を介して前記小口面に接着され、当該小口面を被覆する被覆部と、前記被覆部に対して前記化粧部材の裏面側に折曲可能に構成された折曲部とを備えることを特徴とする。
本発明では、化粧キャップは、従来のような硬質樹脂ではなく、表面層と粘着剤を含む基材層とが積層された成形品によって構成されている。このため、表面層を種々の色合いに設定することが可能となる。すなわち、化粧キャップにおける外観の色合い（表面層の色合い）を化粧部材における外観の色合いに揃えることが可能となり、意匠性を向上させることができる。
また、化粧キャップは、基材層を介して化粧部材の小口面に接着され、当該小口面を被覆する被覆部と、当該被覆部に対して化粧部材の裏面側に折曲可能に構成された折曲部とを備える。すなわち、化粧キャップは、被覆部が基材層を介して化粧部材の小口面に接着される他、折曲部が基材層を介して化粧部材における小口面以外の部位に接着される。このため、化粧部材に対する化粧キャップの取付強度を十分に確保することができる。
【００２６】
また、本発明は、上述した化粧キャップにおいて、前記化粧部材は、形材の表面に化粧シートが貼り付けられた構成を有し、前記表面層は、前記化粧シートと同一部材によって構成されていることを特徴とする。
本発明では、表面層が化粧シートと同一部材によって構成されているため、化粧キャップにおける外観の色合いを化粧部材における外観の色合いと同一にすることができる。
【００２７】
また、本発明は、上述した化粧キャップにおいて、前記形材は、表面に前記化粧シートが貼り付けられた形材本体と、前記形材本体の裏面から突出する突出部とを備え、前記折曲部は、前記基材層を介して前記突出部に接着されることを特徴とする。
本発明では、化粧キャップは、被覆部が基材層を介して化粧部材の小口面に接着される他、折曲部が化粧部材の裏面側に略９０°折り曲げられて基材層を介して化粧部材における突出部に接着される。このため、化粧部材に対する化粧キャップの取付強度を十分に確保することができる。
【００２８】
また、本発明は、上述した化粧キャップにおいて、前記形材は、表面に前記化粧シートが貼り付けられた形材本体と、前記形材本体の裏面から突出する突出部とを備え、前記折曲部は、前記基材層を介して前記被覆部及び前記形材本体の裏面にそれぞれ接着されることを特徴とする。
本発明では、化粧キャップは、被覆部が基材層を介して化粧部材の小口面に接着される他、折曲部が化粧部材の裏面側に略１８０°折り曲げられて基材層を介して被覆部及び形材本体の裏面にそれぞれ接着される。このため、化粧部材に対する化粧キャップの取付強度を十分に確保することができる。
特に、折曲部の接着位置（被覆部及び形材本体の裏面）が形材本体の表面に近接した位置となるため、当該表面側から化粧キャップに与えられる外力に対して十分に高い取付強度を有する構造となる。
【００２９】
また、本発明は、上述した化粧キャップにおいて、前記表面層と前記基材層との間には、充填層が充填されていることを特徴とする。
本発明によれば、表面層と基材層との間に充填層が充填されているため、従来の硬質樹脂によって構成した化粧キャップと比較して、柔らかい部品とすることができ、安全性を十分に配慮することができる。
【００３０】
また、本発明に係る建具は、面材の表面に取り付けられた化粧部材と、前記化粧部材の小口面に取り付けられ、当該小口面を被覆する化粧キャップとを備え、前記化粧キャップは、上述した化粧キャップであることを特徴とする。
本発明によれば、上述した化粧キャップを備えているので、上述した化粧キャップと同様の作用及び効果を奏する。
【符号の説明】
【００３１】
１  建具、２  ドア（面材）、４  化粧部材、５  形材、６  化粧シート、７，７Ａ  化粧キャップ、４０  小口面、５１  形材本体、５２  突出部、７１  被覆部、７２，７２Ａ  折曲部、５１１  表面、５１２  裏面、ＬＡ１  化粧層（表面層）、ＬＡ３  充填層、ＬＡ４  基材層
【図１】
2020094338.tif 000003
【図２】
2020094338.tif 000004
【図３】
2020094338.tif 000005
【図４】
2020094338.tif 000006
【図５】
2020094338.tif 000007
【図６】
2020094338.tif 000008
【図７】
2020094338.tif 000009
【図８】
2020094338.tif 000010
【図９】
2020094338.tif 000011